(57)【特許請求の範囲】
【請求項１】
前輪をロックするためのソレノイドと、このソレノイドに通電するための電気回路と、前記通電のためのスイッチと、から成る前輪のロック機構を備えた二輪車駐車装置に於いて、前記スイッチは、前記ソレノイドへの通電のトリガーとなるスイッチと、前輪が進入したことを感知して所定時間以上動作したか否かを判定する判定機構を備えてこの判定機構がスイッチが所定時間以上動作したと判断した場合に前記前輪のロック機構が前輪をロックするスイッチと、を兼ねるものであることを特徴とすると共に、二輪車を駐車させようとする者に前記所定の時間以上ロック機構の方向に前記前輪を押し続けさせるべく前記前輪を押し出す方向に付勢するための付勢機構を備えていることを特徴とするものである、悪戯防止装置を備えた二輪車駐車装置。
【請求項２】
前輪をロックするためのソレノイドと、このソレノイドに通電するための電気回路と、前記通電のためのスイッチと、から成る前輪のロック機構を備えた二輪車駐車装置に於いて、前記スイッチは、前輪が進入したことを感知する２つのスイッチから成り、この２つのスイッチが同時に動作したか否かを判定する判定機構を備え、この判定機構は、前記２つのスイッチが同時に動作したと判断した場合に前記前輪のロック機構が前記前輪をロックするものであり、更に二輪車を駐車させようとする者に前記所定の時間以上ロック機構の方向に前記前輪を押し続けさせるべく前記前輪を押し出す方向に付勢するための付勢機構を備えていることを特徴とするものである、悪戯防止装置を備えた二輪車駐車装置。
【請求項３】
前輪をロックするためのソレノイドと、このソレノイドに通電するための電気回路と、前記通電のためのスイッチと、から成る前輪のロック機構を備えた二輪車駐車装置に於いて、前記スイッチは、前記ソレノイドへの通電のトリガーとなるスイッチと、前輪が進入したことを感知して所定時間以上動作したか否かを判定する判定機構を備えてこの判定機構がスイッチが所定時間以上動作したと判断した場合に前記前輪のロック機構が前輪をロックするスイッチと、を兼ねるものであることを特徴とすると共に、前記ロック機構は、前記ロック機構の方向に前記前輪が押し込まれた時に両側のガイドの間をスライドするように設けられており、且つ後記ソレノイドのスライドを挿通するための孔が設けられているスライド部材と、前記スライド部材が前輪によって押し込まれた時に前記スライド部材側の孔に一致する孔が設けられている前記ガイド側部材と、前記２つの孔に挿通するためのスライド杆を備えた前記ソレノイドと、から成ることを特徴とするものである、悪戯防止装置を備えた二輪車駐車装置。
【請求項４】
前輪をロックするためのソレノイドと、このソレノイドに通電するための電気回路と、前記通電のためのスイッチと、から成る前輪のロック機構を備えた二輪車駐車装置に於いて、前記スイッチは、前輪が進入したことを感知する２つのスイッチから成り、この２つのスイッチが同時に動作したか否かを判定する判定機構を備え、この判定機構は、前記２つのスイッチが同時に動作したと判断した場合に前記前輪のロック機構が前記前輪をロックするようにして成ることを特徴とすると共に、前記ロック機構は、前記ロック機構の方向に前記前輪が押し込まれた時に両側のガイドの間をスライドするように設けられており、且つ後記ソレノイドのスライドを挿通するための孔が設けられているスライド部材と、前記スライド部材が前輪によって押し込まれた時に前記スライド部材側の孔に一致する孔が設けられている前記ガイド側部材と、前記２つの孔に挿通するためのスライド杆を備えた前記ソレノイドと、から成ることを特徴とするものである、悪戯防止装置を備えた二輪車駐車装置。
【請求項５】
前輪をロックするためのソレノイドと、このソレノイドに通電するための電気回路と、前記通電のためのスイッチと、から成る前輪のロック機構を備えた二輪車駐車装置に於いて、前記スイッチは、前輪が進入したことを感知する２つのスイッチから成り、この２つのスイッチが同時に動作したか否かを判定する判定機構を備え、この判定機構は、前記２つのスイッチが同時に動作したと判断した場合には前記前輪のロック機構が前記前輪をロックするようにして成ることを特徴とすると共に、前記２つのスイッチは、進入して来た前輪によって進入方向に押圧される押圧スイッチと、この押圧スイッチとは人の手で同時に動作させることが難しい程度に離れた箇所である所の進入して来た前輪が載る部位に上向きに取り付けられた加重スイッチと、から成ることを特徴とするものである、悪戯防止装置を備えた二輪車駐車装置。
【発明の詳細な説明】
【０００１】
【発明の属する技術分野】
この発明は、車輪のロック機構を備えた二輪車駐車装置に於いて、悪戯により車輪がロックされることなく、真に駐車を意図した場合にのみ車輪がロックされるようにした、二輪車駐車装置の悪戯防止装置に関する。
【０００２】
【従来の技術】
従来より、例えば、二輪車の車輪を抱え込むための腕と、この抱え込んだ状態の腕を固定するためのソレノイドと、このソレノイドに通電するための電気回路と、通電のトリガーとなるスイッチとを備えた二輪車駐車装置があった。
【０００３】
このものは、前記腕のところに二輪車の車輪が進入すると、腕によって車輪が抱え込まれ、二輪車の一部分が前記スイッチに接触したら、ソレノイドが動作して車輪を抱え込んだ腕を固定し、腕が開かないようにすることによって、車輪をロックするというものである。
【０００４】
【発明が解決しようとする課題】
しかしながらこのものには次のような欠点があった。すなわち二輪車の一部分が前記スイッチに接触したら車輪がロックされるのであるが、悪戯によって前記スイッチが手で動かされたような場合でも腕が固定されてしまい、本当に駐車させようとして進入して来る二輪車をロックすることが出来なくなってしまうのであった。
【０００５】
そこでこの発明では、上述したような問題点を解決して、悪戯の場合と、真に駐車させようとする場合とを判定して、真に駐車させようとする場合にのみそれを可能にすることを課題とする。
【０００６】
上記課題は、車輪のロック機構を備えた二輪車駐車装置に於いて、車輪が進入したことを感知するスイッチと、このスイッチが所定時間以上動作したか否かを判定する判定機構とを備えており、この判定機構が前記スイッチが所定時間以上動作したと判断した場合には前記車輪のロック機構が車輪をロックするようにして成ることを特徴とする、二輪車駐車装置の悪戯防止装置とすることにより達成される。
【０００７】
二輪車を駐車させようとする者は、車輪のロック機構の所まで二輪車を進入させ、所定の時間そのままでいるようにする。すると車輪が進入したことを感知するスイッチが所定時間以上動作したと判定機構が判断した場合には前記車輪のロック機構が車輪をロックするように動作するため、二輪車を駐車させることが出来る。これに対して悪戯の場合では、車輪の代わりに直接手でスイッチを動作させたり、棒などを用いてスイッチを動かすようなことが行なわれるが、悪戯であるため所定時間待つようなことはない場合が普通である。従って、この時間によりスイッチ動作の真意を計ることが出来るのである。
【０００８】
また上記課題は、車輪のロック機構を備えた二輪車駐車装置に於いて、車輪が進入したことを感知する２つのスイッチと、この２つのスイッチが同時に動作したか否かを判定する判定機構とを備えており、この判定機構が前記２つのスイッチが同時に動作したと判断した場合には前記車輪のロック機構が車輪をロックするようにして成ることを特徴とする、二輪車駐車装置の悪戯防止装置とすることにより達成される。なおこの２つのスイッチはお互いに離して設けておくと都合がよい。
【０００９】
この発明では、２つのスイッチで車輪の進入を感知するものとしている。すなわち２つのスイッチが同時に入っていないと、前記判定機構が前記２つのスイッチが同時に動作していないと判断するために前記車輪のロック機構が車輪をロックする動作を行なわないのである。悪戯の場合には車輪の代わりに直接手でスイッチを動作させるが、２つのスイッチを同時に動作させるというような面倒な行為は行なわない場合が普通である。従って、２つのスイッチが同時に動作しているか否かで真の駐車を意図したものか悪戯かを判定することが出来るのである。なお２つのスイッチが離れて設置されていればいるほど、人の手で同時に動作させることが難しくなる。
【００１０】
次に、上記請求項１または請求項２に記載の二輪車駐車装置の悪戯防止装置に関して、車輪を押し出す方向に付勢する付勢機構を備えているものとすることが出来る。
【００１１】
車輪のロック機構の所まで二輪車を進入させると、付勢機構によって二輪車は車輪を押し出す方向に力を受ける。このままでは二輪車は戻されてしまい、車輪のロックを行なうことが出来ない。従って、二輪車を駐車させようとする者は、車輪のロック機構の所まで二輪車を進入させ、所定の時間そのまま付勢機構からの反発力に対抗して力を加え続けなくてはならない。請求項１の発明の場合には所定の時間以上ロック機構の方向に車輪を押し続けなくてはならない。請求項２の場合では反発力に対抗して車輪を２つのスイッチのところまで進入させなくてはならない。そうすることによって前記判定機構がそれと判断して前記車輪のロック機構が車輪をロックする動作を行なってくれるのである。これに対して悪戯の場合では、付勢機構からの反発力に対抗してまで敢えて悪戯行為を行なわないのが普通である。
【００１２】
また、上記請求項１または請求項２に記載の二輪車駐車装置の悪戯防止装置に関して、前記スイッチが、進入して来た車輪により押圧されると動作するようにすることが出来る。
【００１３】
スイッチには押圧スイッチを用いることが出来る。二輪車の車輪を進入させて進入方向に設けた押圧スイッチを押したり、車輪の進入通路面に押圧スイッチを設けておき、車輪を進入させて押圧スイッチの上に載るようにしてこのスイッチを押すのである。
【００１４】
また、上記請求項１または請求項２に記載の二輪車駐車装置の悪戯防止装置に関して、前記スイッチが、進入して来た車輪に光路を遮られることによって動作する光スイッチであるものとすることが出来る。
【００１５】
例えば発光素子と受光素子とを車輪通路の両側に配置しておき、二輪車の進入がない時には、発光素子から発せられた光が受光素子に入るように設定しておくのである。二輪車が進入すると、前記光回路が遮断されるため、前記判定機構がそれと判断して前記車輪のロック機構が車輪をロックする動作を行なってくれるのである。
【００１６】
また、上記請求項１または請求項２に記載の二輪車駐車装置の悪戯防止装置に関して、前記車輪のロック機構が、二輪車の車輪を抱え込むための腕と、この抱え込んだ状態の腕を固定するためのソレノイドと、このソレノイドに通電するための電気回路とから成るものとすることが出来る。
【００１７】
二輪車を駐車させようとする者が車輪を施錠手段の所まで導くと、車輪は施錠手段の腕に抱え込まれる。そして判定機構が車輪をロックすべしと判定した場合には、ソレノイドの作動杆がこの腕に作用して腕がロックされ、腕が車輪を固定してしまう。次にこのソレノイドに通電するとソレノイドの作動杆が動作して腕から外れ、腕が自由に成るため、二輪車を出庫させることが出来る。
【００１８】
この腕とソレノイドとの組み合わせ以外に例えば車輪のスポークの間にソレノイドの貫木杆を挿通してロックするものを上げることが出来る。なおソレノイドを構成中に使用すると、電気的・遠隔的に開錠操作を行なう仕組みを容易に構成することが出来、遠隔からのコンピュータ制御なども可能と成る。
【００１９】
なおこの発明が駐車対象とする二輪車としては自転車、電動アシスト自転車、原動機付き自転車、自動二輪車などであり、この発明の駐車装置は車輪の太さや直径や、二輪車の車体重量に合わせて設計されるものである。
【００２０】
【発明の実施の形態】
以下この発明の実施の形態を図面を参照して説明するが、この発明はこれ等の形態に限定されず、この発明の思想の範囲内に於いて種々展開することが出来、これ等もまたこの発明の権利範囲内である。
【００２１】
（第１の実施の形態）
図１乃至図６を用いて説明する。この実施形態の自転車の駐車装置は、チャンネル状のガイド１４とその前方に設けた施錠装置１とから構成されている。前記ガイド１４はその後端部が開放されており、ここより車輪を出し入れする。更にガイド１４には、車輪（前輪から導入する場合には前輪）が駐車される位置に、その車輪が乗り越え終えた時に、車輪を前記施錠装置１の上記腕であるところの鈎部３０が捕らえられるように、コロ１６を回転軸１５によって回動自在に取り付けて成る。なお図中で符号１３は、施錠装置１を支持する支柱を差し示している。符号１２はガイド１の底面部を指している。
【００２２】
施錠装置１を図１乃至図３で示す。両側のガイド１０，１０の間をスライドするようにスライド部材２が設けられ、この後端部即ち車輪Ｔが突き当たる部位に突当板２２が取り付けられている。また２つの鈎部３０，３０が互いに対向して車輪を捕らえ得るように回動軸３によって回動自在に取り付けられている。この２つの鈎部３０，３０は図示しないバネにより常に車輪Ｔを開放する方向に付勢されている。またスライド部材２には、後述するソレノイド６０のスライド杆６を挿通するための孔２１が設けられている。スライド部材２が車輪Ｔによって押し込まれた時に、この孔２１に一致する孔１１が施錠装置１の底面部１２に設けられている。なお鈎部３０，３０は、スライド部材２が車輪Ｔによって押し込まれた時に鈎部３０，３０が施錠装置１の外枠に阻まれて内方に回動し（図２）、またソレノイド６０のスライド杆６が前記孔１１，２１から外れて、図示しないバネによりスライド部材２が外へ押し出された時に外方に回動し（図１）、車輪Ｔを開放し得るように構成されている。図１では鈎部３０，３０が施錠装置１のケーシングの抑制の影響を受けなく成ったところで車輪Ｔを開放している状態が表わされている。またスライド部材２と施錠装置１の外枠との間にバネ４を介在させて、常には鈎部３０，３０が車輪Ｔを開放する方向に付勢するように構成されている。なおソレノイド６０のスライド杆６をスライドさせるための電気回路などは図示を省略した。図中符号６１はソレノイド６０のリード線である。
【００２３】
前記突当板２２には押圧スイッチ５が取り付けられている。スライド部材２の後端部の突当板２２に車輪Ｔが突き当たると、この押圧スイッチ５が押されるように構成されている。この押圧スイッチ５は、図５のブロック図で表わした制御回路に接続されており、また前記ソレノイド６０もリード線６１を介して接続されている。この他制御部６２にはタイマ６３が接続されている。
【００２４】
さて、自転車を駐車させようとする者が、その前輪Ｔを回転軸１５で軸支されたコロ１６を越えてガイド１４，１４の間に進入させて、前輪Ｔで突当板２２を押すようにすると、押圧スイッチ５がＯＮ状態になるが、更にバネ４の力に抗して突当板２２を押すと、鈎部３０，３０が突当板２２に連動するが、鈎部３０，３０は施錠装置１の両側の外枠に阻まれて内方に回動し、前輪Ｔを抱くようにして捕捉する。ここで自転車を駐車させようとする者が前輪Ｔで突当板２２を押す力を緩めると、バネ４の力によってスライド部材２が押し戻されて、鈎部３０，３０が開放されてしまい駐車不能となる。そこで自転車を駐車させようとする者は前輪Ｔで突当板２２を押す力を緩めないようにしなくてはならない。この状態でスライド部材２と施錠装置１の底面部１２を見ると、スライド部材２の孔２１と底面部１２の孔１１とが一致している。そこで所定の時間が経過すると、判定機構が車輪をロックすべしと判定し、ソレノイド６０に通電して、作動杆であるスライド杆６を前記孔２１，孔１１に挿通してしまう。これにより次にこのソレノイド６０に通電するまでは、自転車を出庫することが出来なくなる。
【００２５】
ここで図６は、図５のブロック図で表わした制御回路の動作をフローチャートにて表わしたものである。突当板２２が前輪Ｔで押されると、押圧スイッチ５がＯＮ状態になる（ステップＳ１）。すると制御部６２はタイマ６３を初期化して計時を開始し（ステップＳ２）、押圧スイッチ５のＯＮ状態が継続されているか否かを判定し（ステップＳ３）、Ｙｅｓであるならばら所定の時間が経過したか否かを判定し（ステップＳ４）、Ｙｅｓであるならばらソレノイド６０によって施錠を行なう（ステップＳ５）。ステップＳ３に於いて、押圧スイッチ５のＯＮ状態が継続されなかった場合には終了する。またステップＳ４に於いて、所定の時間が経過していない場合には計時動作を続ける。押圧スイッチ５のＯＮ状態が所定の時間だけ継続されないと、制御部６２はソレノイド６０に通電することがない。なおタイマ６３には任意時間を設定することが可能であり、例えば３秒間と設定すれば、押圧スイッチ５のＯＮ状態が３秒間継続すると、ソレノイド６０に通電されることになる。そして制御部６２に出庫命令が与えられると、制御部６２はソレノイド６０に通電して、スライド杆６を引き、前記孔２１，孔１１からスライド杆６を抜いてしまうため、スライド部材２は移動が自由となり、自転車を引くと、バネ４の反発力の助けにより容易に鈎部３０，３０が開放されるのである。
【００２６】
従って悪戯の場合、すなわち棒等で突当板２２を押したような場合には、確かに押圧スイッチ５が一旦はＯＮ状態になるかも知れないが、バネ４の力によってスライド部材２が押し戻されるため、悪戯をする者にはバネ４の力に抗して突当板２２を押し続けなくてはならず、このような忍耐力のいる悪戯は継続されないのが普通である。しかしながら真に自転車を駐車させようとする者にとっては、自転車の重量が手伝うため、この所定の時間を経過させることは苦ではないのである。
【００２７】
（第２の実施の形態）
この実施形態の悪戯防止装置を備えた自転車駐車装置は、その殆どの構成を上述した第１実施形態に倣うものであるが、施錠装置１７の第１のスイッチである押圧スイッチ５の他に第２のスイッチを備えている点と、スライド部材２を押し戻すバネ４を備えていない点で異なる。
【００２８】
第２のスイッチは、車輪通路であるガイド１４，１４の間に設けた車輪台７の底部、車輪Ｔが載る部分に上向きに取り付けられた加重スイッチ８である。自転車の前輪Ｔを鈎部３０，３０のところまで進入させ、前輪Ｔで突当板２２を押したところで前輪Ｔが車輪台７の上に載って安定するように構成されている。またこの状態は、前輪Ｔで加重スイッチ８が押されている状態でもある。すなわち、突当板２２が押された時に、図７では図示されていない押圧スイッチ５がＯＮの状態になっていると共に、加重スイッチ８がＯＮ状態となっている。よって制御部６２は、これ等２つのスイッチ５，８が同時に押された場合にソレノイド６０に通電するように設定されている（図８）。
【００２９】
従って悪戯をする者は、この押圧スイッチ５と加重スイッチ８との２つのスイッチを同時に押さなくてはならず、また両者が離れた位置に設けられていることにより、煩わしくも苦痛であるこのような悪戯は継続されないのが普通である。しかしながら真に自転車を駐車させようとする者にとっては、単に自転車を車輪台７の上に載せるだけであるから少しも苦ではないのである。
【００３０】
（第３の実施の形態）
図９及び図１０を用いて説明する。この実施形態の悪戯防止装置を備えた自転車の駐車装置は、上述した１実施形態の押圧スイッチ５の代わりに、発光部９と光センサ９０とによる光スイッチを備えている点に特徴を有する。その他の構成は上述した第１実施形態に倣う。
【００３１】
施錠装置１８は、両側のガイド１０，１０の間をスライドするようにスライド部材２が設けられ、この後端部即ち車輪Ｔが突き当たる部位に突当板２２が取り付けられている。また２つの鈎部３０，３０が互いに対向して車輪を捕らえ得るように回動軸３によって回動自在にスライド部材２に取り付けられている。この２つの鈎部３０，３０は図示しないバネにより常に車輪Ｔを開放する方向に付勢されている。また一方の鈎部３０の内側には、相対する鈎部３０に向けて発光する発光部９が取り付けられており、他方の鈎部３０の内側には、発光部９からの光を受け得る位置に光センサ９０が取り付けられている。
【００３２】
自転車の前輪Ｔが鈎部３０，３０の間に入っていない時には、発光部９からの光は光センサ９０が受けているが（図９）前輪Ｔを鈎部３０，３０のところまで進入させ、前輪Ｔで突当板２２を押す頃には、発光部９から光センサ９０へ向かう光回路が前輪Ｔによって遮断され、このことは図示しない制御部が感知することとなる。このような状態が所定の時間だけ継続された場合に、ソレノイド６０に通電して、スライド杆６を孔２１，孔１１に挿通するのである。この光回路が所定の時間だけ継続されないと、制御部はソレノイド６０に通電することがないわけである。タイマには任意時間を設定することが可能であり、例えば３秒間などと設定する。そして制御部に出庫命令が与えられると制御部はソレノイド６０に通電して、スライド杆６を引き、前記孔２１，孔１１からスライド杆６を抜いてしまうため、スライド部材２は移動が自由となり、自転車を引くと、バネ４の付勢力によって鈎部３０，３０が開放される。
【００３３】
従って悪戯の場合、すなわち手で突当板２２を押したような場合には、確かに一旦は前記光回路が遮断されるかも知れないが、バネ４の力によりスライド部材２が押し戻されて来るため、悪戯をする者にはバネ４の力に抗して突当板２２を押し続けなくてはならず、このような忍耐力のいる悪戯は継続されないのが普通である。しかしながら自転車を駐車さる目的を有する者にとっては、この所定の時間を経過させることは苦ではない。突当板２２を押し続けるのに自転車の重量が加担する。
【００３４】
なおこの発明は、上述した実施形態にのみ限定されないから、車輪が進入したことを感知するスイッチにはどのようなものを用いてもよい。また判定機構についても適宜設計したものでよい。
【００３５】
【発明の効果】
以上この発明は、車輪のロック機構を備えた二輪車駐車装置に於いて、車輪が進入したことを感知するスイッチと、このスイッチが所定時間以上動作したか否かを判定する判定機構とを備え、この判定機構が前記スイッチが所定時間以上動作したと判断した場合には前記車輪のロック機構が車輪をロックするようにして成ることを特徴とする、二輪車駐車装置の悪戯防止装置とした。またこの発明は車輪のロック機構を備えた二輪車駐車装置に於いて、車輪が進入したことを感知する２つのスイッチと、この２つのスイッチが同時に動作したか否かを判定する判定機構とを備え、この判定機構が前記２つのスイッチが同時に動作したと判断した場合には前記車輪のロック機構が車輪をロックするようにして成ることを特徴とする、二輪車駐車装置の悪戯防止装置とした。
【００３６】
この結果、前者ではスイッチが所定時間以上動作した場合に車輪をロックし、後者では２つのスイッチが同時に動作した場合に車輪をロックするため、悪戯の場合と、真に駐車させようとする場合とを判定し、悪戯では動作せず、真に駐車させようとする場合にのみ駐車ロックが可能となり、所期の目的を達成することが出来た。
【図面の簡単な説明】
【図１】この発明の第１実施形態の模式図である。
【図２】同実施形態の動作状態説明図である。
【図３】同実施形態の内部構成図である。
【図４】同実施形態を利用した自転車の駐車装置である。
【図５】同実施形態の制御回路のブロック図である。
【図６】同実施形態の動作状態のフローチャートである。
【図７】この発明の第２実施形態の模式図である。
【図８】同実施形態の制御回路のブロック図である。
【図９】この発明の第３実施形態の模式図である。
【図１０】同実施形態の動作状態説明図である。
【符号の説明】
１    施錠装置
１０  ガイド
１１  孔
１２  底面部
１３  支柱
１４  ガイド
１５  回転軸
１６  コロ
１７  施錠装置
１８  施錠装置
２    スライド部材
２１  孔
２２  突当板
３    回動軸
３０  鈎部
４    バネ
５    押圧スイッチ
６    スライド杆
６０  ソレノイド
６１  リード線
６２  制御部
６３  タイマ
７    車輪台
８    加重スイッチ
９    発光部
９０  光センサ
【図１】
0004825945.tif 000002
【図２】
0004825945.tif 000003
【図３】
0004825945.tif 000004
【図４】
0004825945.tif 000005
【図５】
0004825945.tif 000006
【図６】
0004825945.tif 000007
【図７】
0004825945.tif 000008
【図８】
0004825945.tif 000009
【図９】
0004825945.tif 000010
【図１０】
0004825945.tif 000011